(57)【特許請求の範囲】
【請求項１】
上着の胸ポケットに差し込む大きさに形成したカード状の差込片の上辺から装飾用ハンカチーフを露出させたポケットチーフ本体と、前記ポケットチーフ本体を所定の高さで支持する板状部材からなる支持体とを備えた簡易ポケットチーフにおいて、
前記支持体は、当該支持体に逆Ｕ字状の切り込みを設けることにより形成された第１の挟持片を有し、
前記第１の挟持片とそれ以外の部分とで前記ポケットチーフ本体の下部を挟持することにより、前記ポケットチーフ本体の高さを変更可能としており、
前記ポケットチーフ本体は、前記差込片の片面に形成された左右細長の切り込み部より前記支持体を前記差込片の内部へ挿入可能としており、
前記支持体は、前記第１の挟持片とそれ以外の部分とで前記切り込み部を挟持したときに、前記ポケットチーフ本体の高さを変えることなく当該ポケットチーフ本体に固定可能としたことを特徴とする簡易ポケットチーフ。
【請求項２】
前記支持体の上辺を円弧状に形成したことを特徴とする請求項１に記載の簡易ポケットチーフ。
【発明の詳細な説明】
【技術分野】
【０００１】
本発明は、ポケットチーフに関し、さらに詳細には、簡単に上着の胸ポケットに差し込むことができる簡易ポケットチーフに関する。
【背景技術】
【０００２】
従来より、男性のおしゃれの一つとして、上着（ジャケット）の胸ポケットにハンカチーフを挿入し、その一部を胸ポケットからのぞかせる、いわゆるポケットチーフがある。特に最近では、クールビズやウォームビズの様に省エネファッションが流行し始め、ネクタイの代わりにこのポケットチーフがファッション雑誌でも見かけられるようになってきており、上着の胸ポケットに差し込むだけでポケットチーフを美しく形作ることができ、胸ポケットに落ち込んでしまうことのない簡易ポケットチーフが提案されている（例えば、特許文献１，２参照）。
【０００３】
しかしながら、上着の胸ポケットの深さは一定でないことから、上記特許文献１，２に
記載の簡易的なポケットチーフでは、装飾用ハンカチーフが胸ポケットから露出する量を
一定にすることができず、ポケットチーフを簡単に上着の胸ポケットに挿入することはで
きても、美しく見せることが十分にできない場合があった。
【０００４】
そこで、本出願人は、ポケットチーフ本体と、当該ポケットチーフ本体を支持する板状部材からなる支持体とを備え、上着の胸ポケットに差し込むだけでポケットチーフを美しく形作ることができ、胸ポケットの深さに合わせて高さを調整可能な簡易ポケットチーフを開発した（特許文献３参照）。
【０００５】
この特許文献３に開示されているように、ポケットチーフ本体を支持する支持体として数種類の形状を開発したが、特に、図９（ａ）に示すように、方形状の薄板状部材からなる支持体が使い勝手や製造コストの面において優れたものとなっている。この支持体２３０は、山形状の切り込み２４０ａ〜２４０ｃを上下方向に多段に設けることにより形成された支持部２５０ａ〜２５０ｃを有しており、図９（ｂ）に示すように、支持部２５０ａ〜２５０ｃのいずれかとそれ以外の部分とでポケットチーフ本体２６０の下部を挟持し、ポケットチーフ本体２６０の高さを高くすることで、当該ポケットチーフ本体２６０を上着の胸ポケットに挿入したときに所望の高さに固定することができる。
【特許文献１】実用新案登録第３０５９３３７号公報
【特許文献２】実開平５−６９１０９号公報
【特許文献３】実用新案登録第３１３３５２５号公報
【発明の開示】
【発明が解決しようとする課題】
【０００６】
しかしながら、ポケットチーフ本体及び支持体を図９に示すような構成とした場合、ポケットチーフ本体２６０の高さを調整する必要のないときは、ポケットチーフ本体２６０の高さを変えることなくポケットチーフ本体２６０に支持体２３０を固定させておくことができないため、ポケットチーフ本体２６０から支持体２３０を取り外して使用しなければならない。そのため、支持体２３０を紛失し易く、また、外出先等でポケットチーフ本体２６０の高さ調整が必要となった場合に、手元に支持体２３０がないという事態も生じ易い。
【０００７】
そこで、本発明は、ポケットチーフ本体の高さを調整する必要がない場合にも支持体の紛失を防止することができ、また、外出先等においてポケットチーフ本体の高さ調整が必要となったときに支持体が手元にないといった事態を回避することのできる簡易ポケットチーフの提供を目的とするものである。
【課題を解決するための手段】
【０００８】
上記課題を解決するために請求項１に記載の発明は、上着の胸ポケットに差し込む大きさに形成したカード状の差込片の上辺から装飾用ハンカチーフを露出させたポケットチーフ本体と、前記ポケットチーフ本体を所定の高さで支持する板状部材からなる支持体とを備えた簡易ポケットチーフにおいて、前記支持体は、当該支持体に逆Ｕ字状の切り込みを設けることにより形成された第１の挟持片を有し、前記第１の挟持片とそれ以外の部分とで前記ポケットチーフ本体の下部を挟持することにより、前記ポケットチーフ本体の高さを変更可能としており、前記ポケットチーフ本体は、前記差込片の片面に形成された左右細長の切り込み部より前記支持体を前記差込片の内部へ挿入可能としており、前記支持体は、前記第１の挟持片とそれ以外の部分とで前記切り込み部を挟持したときに、前記ポケットチーフ本体の高さを変えることなく当該ポケットチーフ本体に固定可能としたことを特徴とする。
【００１０】
また、請求項２に記載の発明は、請求項１に記載の発明において、前記支持体の上辺を円弧状に形成したことを特徴とする。
【発明の効果】
【００１１】
本発明によれば、ポケットチーフ本体を上着の胸ポケットに挿入したときに所望の高さに固定することができるとともに、ポケットチーフ本体の高さを調整する必要がない場合にも支持体の紛失を防止することができ、また、外出先等においてポケットチーフ本体の高さ調整が必要となったときに支持体が手元にないといった事態を回避することができる。
【発明を実施するための最良の形態】
【００１２】
以下、本発明の一実施形態について図面を用いて詳細に説明する。図１は、本実施形態に係る簡易ポケットチーフの概要を説明するための図である。
【００１３】
図１に示すように、本実施形態における簡易ポケットチーフ５００は、上着５０の胸ポケット５１に差し込む大きさに形成したカード状の差込片５１１の上辺から装飾用ハンカチーフ５１２を露出させたポケットチーフ本体５１０と、薄板状の部材である支持体５２０とを備えている。
【００１４】
そして、本実施形態にかかる簡易ポケットチーフ５００は、支持体５２０に形成された逆Ｕ字状の挟持片によりポケットチーフ本体５１０を挟持することで、ポケットチーフ本体５１０を所定の高さで支持することができ、これにより、当該ポケットチーフ本体５１０の高さを調整することを可能としている。
【００１５】
さらに、本実施形態にかかる簡易ポケットチーフ５００は、ポケットチーフ本体５１０の高さ調整が必要ない場合には、支持体５２０を、ポケットチーフ本体５１０の高さを変えることなく当該ポケットチーフ本体５１０に固定させておくことができる。
【００１６】
以下、この簡易ポケットチーフ５００の具体的構成について説明する。図２（ａ）は、本実施形態に係るポケットチーフ本体５１０の正面図、図２（ｂ）は本実施形態に係るポケットチーフ本体５１０の側面図である。
【００１７】
図２（ａ），（ｂ）に示すように、ポケットチーフ本体５１０は、上着５０の胸ポケット５１に差し込む大きさに形成した方形状の板状部材である差込片５１１と、この差込片５１１の上辺に係止された装飾用ハンカチーフ５１２とを備えている。
【００１８】
また、ポケットチーフ本体５１０は、その差込片５１１の片面の下部に左右方向に細長く開口する切り込み部５１３を設けている。さらに、この切り込み部５１３の左右端それぞれには、円形状に開口する開孔部５１４，５１５を設けており、これによって、切り込み部５１３の左右が外部の力によって左右に裂けることを防止するようにしている。なお、以下において、この切り込み部５１３が設けられている側を、ポケットチーフ本体５１０の正面とする。
【００１９】
ここで、ポケットチーフ本体５１０は、長方形状の皮材の上部に装飾用ハンカチーフ５１２の下部を載せた状態で当該皮材を折り畳み、折り畳んだ皮材の各辺の縁近傍を縫合することによりカード状に形成し、また、当該折り畳んだ皮材の片面の下部に左右方向に細長く開口する切り込み部５１３を設けるとともに、この切り込み部５１３の左右端それぞれに円形状に開口する開孔部５１４，５１５を設けることによって形成される。図２（ａ）中において、符号５１９は、縫合による縫い目である。このように、皮材及び縫い目５１９によって形成された差込片５１１の内部５１８は、支持体５２０を挿入可能な領域となっている。なお、切り込み部５１３の上下幅は、支持体５２０の厚さと同程度に形成することが望ましく、かかる構成とすることにより、支持体５２０を容易に挿入することが可能となる。
【００２０】
次に、支持体５２０の具体的構成について説明する。図３は本実施形態に係る支持体５２０の正面図、図４は本実施形態に係る支持体５２０の第１の挟持片５２１を開孔部５２３、５２４を結ぶ直線を軸として上方に移動させ、第２の挟持片５２５を開孔部５２７、５２８を結ぶ直線を軸として上方に移動させた状態を示す側面図であり、図５は本実施形態に係るポケットチーフ本体５１０を支持体５２０で保持したときの状態を示す図であり、図６は本実施形態に係るポケットチーフ本体５１０及び支持体５２０に設けられた各部材の対応関係を説明するための図であり、図７は本実施形態に係る支持体５２０がポケットチーフ本体５１０に固定された状態を示す図である。
【００２１】
図３に示すように、支持体５２０は、弾性を有する薄い板状のプラスチック素材からなり、ポケットチーフ本体５１０を挟持するための第１の挟持片５２１を有している。また、この支持体５２０の幅員ｄは、ポケットチーフ本体５１０に設けられた切り込み部５１３の左右長さよりも短く形成されており、これにより、支持体５２０は、当該切り込み部５１３から差込片の内部５１８内へ挿入可能となっている。
【００２２】
第１の挟持片５２１は、支持体５２０の表面から裏面にかけて貫通する逆Ｕ字状の切り込み５２２を設けることによって形成される。
【００２３】
すなわち、図３に示すように、支持体５２０において、左右両辺からそれぞれ長さａだけ離れた位置に円形状の開孔部５２３、５２４を設け、これら開孔部５２３、５２４を端部として、上方に向かって所定の長さの切り込みを当該支持体５２０の左右両辺と平行となるように入れ、さらに、左右方向からそれぞれ中央に水平に向かうように切り込みを入れることにより、逆Ｕ字状の切り込み５２２を形成する。このように支持体５２０に切り込み５２２を形成することによって、図４に示すように、開孔部５２３、５２４を結ぶ直線を軸として上下方向に移動可能な領域が形成されることとなり、この領域が第１の挟持片５２１となる。
【００２４】
また、この第１の挟持片５２１には、ポケットチーフ本体５１０を所定の高さで支持するための第２の挟持片５２５が形成されている。
【００２５】
この第２の挟持片５２５は、切り込み５２２によって形成された逆Ｕ字状の領域の中に、支持体５２０の表面から裏面にかけて貫通する逆Ｕ字状の切り込み５２６を設けることによって形成される。
【００２６】
すなわち、図３に示すように、第１の挟持片５２１の両下端（開孔部５２３、５２４）から支持体５２０の中央に向かってそれぞれ長さｂだけ、支持体５２０の上部に向かってそれぞれ長さｃだけ離れた位置に円形状の開孔部５２７、５２８を設け、これら開孔部５２７、５２８を端部として、上方に向かって当該支持体５２０の左右両辺と平行に、第１の挟持片５２１の上部を越えない長さの切り込みを入れ、さらに、左右両側からそれぞれ中央に向かうように切り込みを入れることにより、逆Ｕ字状の切り込み５２６を形成する。このように、切り込み５２２により形成された逆Ｕ字状の領域の中に、更に切り込み５２６を形成することによって、図４に示すように、開孔部５２７、５２８を結ぶ直線を軸として上下方向に移動可能な領域が形成されることとなり、この領域が第２の挟持片５２５となる。
【００２７】
このように、支持体５２０には、ポケットチーフ本体５１０を支持するための第１の挟持片５２１及び第２の挟持片５２５が形成されており、これらを用いることにより、支持体５２０は当該ポケットチーフ本体５１０の高さを複数段階で調整することができる。
【００２８】
すなわち、支持体５２０は、第１の挟持片５２１や第２の挟持片５２５とそれ以外の部分とでポケットチーフ本体５１０の下部或いは切り込み部５１３を挟持することにより、ポケットチーフ本体５１０の高さを変更することができる。ここで、本実施形態に係る簡易ポケットチーフ５００は、支持体５２０の挟持位置や挟持方法を変えることによって、ポケットチーフ本体５１０の高さを三段階で調整することが可能となっている。
【００２９】
例えば、ポケットチーフ本体５１０の高さを僅かに上げたい場合は、図５（ａ）に示すように、支持体５２０の第２の挟持片５２５以外の部分を切り込み部５１３から差込片の内部５１８内に挿入するとともに、第２の挟持片５２５を当該切り込み部５１３の上部に位置させることにより、第２の挟持片５２５の下端（開孔部５２７、５２８）の近傍で切り込み部５１３を挟持する。このように、第２の挟持片５２５とそれ以外の部分とで切り込み部５１３を挟持することによって、支持体５２０は、ポケットチーフ本体５１０の高さをｈ１だけ高くすることができる。なお、図中、一点鎖線で示された部分は、支持体５２０のうちポケットチーフ本体５１０の差込片の内部５１８にある部分を示すものである。
【００３０】
また、ポケットチーフ本体５１０の高さを図５（ａ）の示す状態よりもさらに上げたい場合は、図５（ｂ）に示すように、支持体５２０の第１の挟持片５２１及び第２の挟持片５２５以外の部分を切り込み部５１３内に挿入するとともに、第１の挟持片５２１及び第２の挟持片５２５をポケットチーフ本体５１０下部の背面側に位置させることにより、第１の挟持片５２１の下端（開孔部５２３、５２４）の近傍でポケットチーフ本体５１０の下部を挟持する。このように、第１の挟持片５２１及び第２の挟持片５２５とそれ以外の部分とでポケットチーフ本体５１０の下部を挟持することによって、支持体５２０は、ポケットチーフ本体５１０の高さを、ｈ１よりも高いｈ２だけ高くすることができる。なお、図中、縫い目５１９以外の破線で示された部分は、支持体５２０のうちポケットチーフ本体５１０の背面側にある部分を示すものである。
【００３１】
ここで、本実施形態にかかる支持体５２０は、ポケットチーフ本体５１０を図５（ｂ）に示す状態よりもさらに高い位置で支持することが可能となっている。
【００３２】
すなわち、ポケットチーフ本体５１０の高さを図５（ｂ）に示す状態よりもさらに上げたい場合は、図５（ｃ）に示すように、支持体５２０の第１の挟持片５２１及び第２の挟持片５２５以外の部分を切り込み部５１３から差込片の内部５１８に挿入し、第１の挟持片５２１をポケットチーフ本体５１０下部の正面側に位置させるとともに、第２の挟持片５２５をポケットチーフ本体５１０下部の背面側に位置させることにより、第２の挟持片５２５の下端（開孔部５２７、５２８）の近傍でポケットチーフ本体５１０の下部を挟持する。このように、第１の挟持片５２１と第２の挟持片５２５とでポケットチーフ本体５１０の下部を挟持するによって、支持体５２０は、ポケットチーフ本体５１０の高さを、ｈ１やｈ２よりも高いｈ３だけ高くすることができる。
【００３３】
ここで、図５（ｃ）に示す状態においては、支持体５２０は僅かな面積でポケットチーフ本体５１０を挟持しなければならないため、使用者の歩行動作等による振動により支持体５２０がポケットチーフ本体５１０から簡単に外れてしまうおそれがある。そこで、本実施形態にかかる簡易ポケットチーフ５００は、図６に示すように、第２の挟持片５２５の下端（開孔部５２７或いは開孔部５２８）から支持体５２０の上辺までの長さｇ１を、差込片５１１の下辺から切り込み部５１３までの長さｇ２よりも長くすることにより、支持体５２０の先端部分をポケットチーフ本体５１０の差込片の内部５１８内に挿入させた状態で、第１の挟持片５２１と第２の挟持片５２５とでポケットチーフ本体５１０の下部を挟持することを可能としている。かかる構成とすることによって、支持体５２０とポケットチーフ本体５１０との一体性が高まり、使用者の歩行動作等により振動が生じた場合であっても、使用中に支持体５２０がポケットチーフ本体５１０から簡単に外れることを防止することができる。
【００３４】
このように、本実施形態に係る支持体５２０は、当該支持体５２０に逆Ｕ字状の切り込み５２２を設けることにより形成された第１の挟持片５２１を有し、さらに、この第１の挟持片５２１は、前記逆Ｕ字の中に更に逆Ｕ字状の切り込み５２６を設けることにより形成された第２の挟持片５２５を有しており、第１の挟持片５２１や第２の挟持片５２５とそれ以外の部分とでポケットチーフ本体５１０の下部或いは切り込み部５１３を挟持することにより、ポケットチーフ本体５１０の高さを三段階で変更可能としている。
【００３５】
しかも、上記いずれの段階においても、支持体５２０の先端は、ポケットチーフ本体５１０の差込片の内部５１８内に挿入された状態となるため、支持体５２０によって支持された状態のポケットチーフ本体５１０を上着５０の胸ポケット５１から取り出すとき等に当該支持体５２０の先端が胸ポケット５１内で引っ掛かって取り出しにくくなることを防止することができる。
【００３６】
なお、図３に示す「ａ」の長さは、長すぎると第１の挟持片５２１による挟持力が小さくなるとともに第２の挟持片５２５の形成が困難になり、短すぎると開孔部５２３、５２４に亀裂が生じやすくなることから、差込片５１１の左右方向の長さの１／１１〜１／７の範囲であることが好ましく、さらに好ましくは１／１０〜１／８である。同様に、図３に示す「ｂ」の長さも、差込片５１１の左右方向の長さの１／１１〜１／７の範囲であることが好ましく、さらに好ましくは１／１０〜１／８である。
【００３７】
また、支持体５２０は、その上辺が円弧状に形成されているため、ポケットチーフ本体５１０の切り込み部５１３への挿入を容易に行うことができ、また、簡易ポケットチーフ５００を上着５０の胸ポケット５１から取り出す際に、支持体５２０の先端で怪我をするといった事態を回避することができる。なお、第１の挟持片５２１及び第２の挟持片５２５の上辺も上記と同様の理由により円弧状に形成されている。
【００３８】
一方、本実施形態にかかる簡易ポケットチーフ５００は、ポケットチーフ本体５１０の高さを調整する必要がない場合には、ポケットチーフ本体５１０の高さを変えることなく、支持体５２０を当該ポケットチーフ本体５１０に固定することができる構成となっている。
【００３９】
すなわち、本実施形態にかかる簡易ポケットチーフ５００は、図６に示すように、支持体５２０の下辺から第１の挟持片５２１の下端（開孔部５２３或いは開孔部５２４）までの長さｇ３が、差込片５１１の下辺から切り込み部５１３までの長さｇ２よりも短くなるように形成されている。
【００４０】
そして、支持体５２０をポケットチーフ本体５１０に固定する場合は、図７に示すように、支持体５２０における第１の挟持片５２１及び第２の挟持片５２５以外の部分をポケットチーフ本体５１０に設けられた切り込み部５１３から差込片の内部５１８内に挿入し、第１の挟持片５２１及び第２の挟持片５２５をポケットチーフ本体５１０外部の正面側に位置させることにより、第１の挟持片５２１の下端（開孔部５２３、５２４）の近傍でポケットチーフ本体５１０の切り込み部５１３を挟持する。この際、上述したように、支持体５２０の下辺から第１の挟持片５２１の下端（開孔部５２３或いは開孔部５２４）までの長さｇ３が、差込片５１１の下辺から切り込み部５１３までの長さｇ２よりも短くなるように形成されているため、第１の挟持片５２１の下端（開孔部５２３、５２４）の近傍でポケットチーフ本体５１０の切り込み部５１３を挟持したときに、支持体５２０の下部がポケットチーフ本体５１０の下部から突出することがない。
【００４１】
このように、本実施形態にかかる支持体５２０は、第１の挟持片５２１及び第２の挟持片５２５とそれ以外の部分とで切り込み部５１３を挟持したときに、ポケットチーフ本体５１０の高さを変えることなく当該ポケットチーフ本体５１０に固定可能としており、かかる構成とすることにより、ポケットチーフ本体５１０の高さを調整する必要がない場合でも支持体５２０の紛失を防止することができ、また、外出先等においてポケットチーフ本体５１０の高さ調整が必要となったときに支持体５２０が手元にないといった事態を回避することができる。
【００４２】
なお、支持体５２０は、図６に示すように、当該支持体５２０の下辺から上辺までの長さｇ４が、差込片５１１に設けられた切り込み部５１３からポケットチーフ本体５１０上辺の縫い目５１９までの長さｇ５よりも長いとともに、ポケットチーフ本体５１０の下辺から上辺の縫い目５１９までの長さｇ６よりも短くなるように形成されている。したがって、第１の挟持片５２１及び第２の挟持片５２５とその他の部分とでポケットチーフ本体５１０の切り込み部５１３を挟持することなくポケットチーフ本体５１０の差込片の内部５１８に挿入した場合であっても、支持体５２０の全てが当該差込片の内部５１８に入り込んでしまうことがないため、当該挟持する動作が面倒な場合は、そのまま差込片の内部５１８に挿入することも可能となる。なお、このように挿入した場合であっても、支持体５２０は、ポケットチーフ本体５１０との摩擦力により当該ポケットチーフ本体５１０に固定された状態をある程度維持しておくことができる。
【００４３】
以上、本発明の実施の形態のいくつかを図面に基づいて詳細に説明したが、これらは例示であり、当業者の知識に基づいて種々の変形、改良を施した他の形態で本発明を実施することが可能である。
【００４４】
例えば、本実施形態においては、支持体５２０に二つの挟持片が形成されている場合について説明したが、挟持片の数はこれに限られるものではなく、４段でも５段でもよい。
【００４５】
また、本実施形態において、支持体５２０の幅員は、当該支持体５２０の全体に亘ってポケットチーフ本体５１０に設けられた切り込み部５１３の幅員よりも短く形成されているが、第１の挟持片５２１の下端より下方の部分はポケットチーフ本体５１０の切り込み部５１３から差込片の内部５１８に挿入されることがないため、当該部分については、図８に示すように、切り込み部５１３よりも幅広に形成してもよい。かかる構成とすることにより、支持体５２０は、上着５０の胸ポケット５１に差し込んだポケットチーフ本体５１０をより安定して支持することができ、また、支持体５２０をポケットチーフ本体５１０からの取り外しも容易となる。
【図面の簡単な説明】
【００４６】
【図１】本実施形態に係る簡易ポケットチーフの概要を説明するため図である。
【図２】本実施形態に係るポケットチーフ本体の具体的な構成図である。
【図３】本実施形態に係る支持体の具体的な構成図である。
【図４】本実施形態に係る支持体の第１の挟持片及び第２の挟持片を開いた状態の側面図である。
【図５】本実施形態に係るポケットチーフ本体を支持体で保持したときの状態を示す図である。
【図６】本実施形態に係るポケットチーフ本体及び支持体に設けられた各部材の対応関係を説明するための図である。
【図７】本実施形態に係る支持体がポケットチーフ本体に固定された状態を示す図である。
【図８】本実施形態に係る支持体の変形例を示す図である。
【図９】従来例における簡易ポケットチーフの説明図である。
【符号の説明】
【００４７】
５０  上着
５１  胸ポケット
５００  簡易ポケットチーフ
５１０  ポケットチーフ本体
５１１  差込片
５１２  装飾用ハンカチーフ
５１３  切り込み部
５２０  支持体
５２１  第１の挟持片
５２５  第２の挟持片
【図３】
0005214951.tif 000002
【図４】
0005214951.tif 000003
【図８】
0005214951.tif 000004
【図１】
0005214951.tif 000005
【図２】
0005214951.tif 000006
【図５】
0005214951.tif 000007
【図６】
0005214951.tif 000008
【図７】
0005214951.tif 000009
【図９】
0005214951.tif 000010